(57)【特許請求の範囲】
【請求項１】
コンプレッサーから凝縮器を介して冷媒を供給される蒸発器と、前記凝縮器および蒸発器に通風する送風ファンとを有し、運転切換により送風ファン回転数を制御する制御回路を備えた除湿機において、運転切換が行われるときの送風ファン回転数を、中間設定値を経て、複数段階にて目標回転数に到達させる制御手段を設けたことを特徴とする除湿機の制御装置。
【請求項２】
中間設定値を経て、複数段階にて目標回転数に到達する制御の過程を、表示手段によって表すことを特徴とする請求項１に記載の除湿機の制御装置。
【発明の詳細な説明】
【０００１】
【発明の属する技術分野】
この発明は空気中の水分を除湿する除湿機の制御装置に関するものである。
【０００２】
【従来の技術】
図５は、除湿機の基本構成を示す縦断面図である。
図において、１は蒸発器、２は吸込口、３は凝縮器、４は毛細管、５は送風ファン、６は風向可変ベーン、７は吹出口、８はドレン口、９はドレンパン、１０は排水タンク、１１はベース、１２はコンプレッサー、２１は制御回路、２２は操作表示部である。
【０００３】
蒸発器１は吸込口２の下流に設けられており、その下流には凝縮器３が設けられ、さらにその下流には送風ファン５を介して風向可変ベーン６を有する吹出口７が設けられている。
また、蒸発器１はドレン口８を有するドレンパン９で受けられており、前記ドレン口８の下部には排水タンク１０が設置されている。
【０００４】
一方、蒸発器１と凝縮器３および毛細管４は冷媒配管にてベース１１の上に取り付けられたコンプレッサー１２に連結され、冷凍サイクルを構成している。また、送風ファン５の上方には制御回路２１が設けられている。
さらに、制御回路２１の上方には操作表示部２２があり、図３に示すこの発明の実施の形態と同様の外観構成を持つ運転スイッチ１７と運転切換スイッチ１８及び強ランプ２３と弱ランプ２４が設けられている。
【０００５】
次に、動作について説明する。
運転スイッチ１７（図３参照）を押し電源を入れると、制御回路２１によりコンプレッサー１２に通電が行われ、高温高圧の冷媒ガスが凝縮器３に流れ込み、凝縮器３は高温に保たれる。
【０００６】
また一方、制御回路２１により送風ファン５にも通電が行われ、吸込口２より風路１３内に吸い込まれた空気により凝縮器３の冷媒ガスは冷却され凝縮し、常温高圧の冷媒液となり凝縮器３より出て、さらに毛細管４を通ることにより低温低圧の気液混合状態として蒸発器１に流れ込み、空気により加熱されることにより蒸発し、低圧の冷媒ガスとして蒸発器１を出て、コンプレッサー１２に吸入される。
【０００７】
そのとき、同時に空気は蒸発器１にて冷却されることにより飽和水蒸気圧以上に含まれていた水分が結露し、除湿され結露した水はドレンパン９のドレン口８を通って排水タンク１０に貯えられる。
また、同時に蒸発器１を通過した低温の空気は凝縮器３にて加熱されることにより、常温の除湿空気として吹出口７より吹き出される。
【０００８】
また一方、運転切換スイッチ１８（図３参照）を押すことにより、制御回路２１にて送風ファン５の回転数が決定され、強であれば、強ランプ２３（図３参照）が点灯し、送風強運転が行われ、弱であれば、弱ランプ２４（図３参照）が点灯し送風弱運転が行われる。
【０００９】
図６は、送風ファン制御のフローチャートを示す説明図である。
ステップＳ１で現在の送風ファン５の回転数の設定が「強」であるか「弱」であるかを判別し、「強」であれば、ステップＳ２に移る。
ステップＳ２では運転切換スイッチ１８が「弱」に設定されているがどうかを判別し「弱」であれば、ステップＳ８で送風「弱」運転とする。
【００１０】
ステップＳ１で現在の送風ファン５の回転数の設定が「弱」と判別されれば、、ステップＳ９に移る。
ステップＳ９では運転切換スイッチ１８が「強」に設定されているがどうかを判別し「強」であれば、ステップＳ１５で送風「強」運転とする。
【００１１】
図７は、送風ファン回転数及び風量の変化を示す説明図である。
送風「強」運転と送風「弱」運転との切換に応じて時間の経過とともに送風ファン５の回転数および風量は大きく変動する。
【００１２】
【発明が解決しようとする課題】
従来の除湿機は以上のように構成されているので、運転切換により送風ファン回転数が急激に変化することで、冷媒の状態変化が起り、異常音が発生するという問題があった。
なお、この異常音は運転切換による風量の急激な変化で、冷媒に大きな状態変化が生じ、凝縮工程での冷媒液化が不完全となり気泡を発生する。この気泡が毛細管で膨張され、さらに一般配管継ぎ手部での急激な膨張により巨大化し、気泡同志又は気泡が管壁に衝突することで冷媒音が発生する。
【００１３】
この発明は、上記のような問題点を解決するためになされたもので、運転切換に応じて段階的に目標回転数に設定できるとともに、風量を中間設定値を経て、段階的に変化させることで、冷媒の急激な状態変化を抑えて、冷媒の異常音の発生を防ぐ除湿機の制御装置を得ることを目的としている。
【００１４】
【課題を解決するための手段】
第１の発明に係わる除湿機の制御装置は、コンプレッサーから凝縮器を介して冷媒を供給される蒸発器と、前記凝縮器および蒸発器に通風する送風ファンとを有し、運転切換により送風ファン回転数を制御する制御回路を備えた除湿機において、運転切換が行われるときの送風ファン回転数を、中間設定値を経て、複数段階にて目標回転数に到達させる制御手段を設けたものである。
【００１５】
第２の発明に係る除湿機の制御装置においては、中間設定値を経て、複数段階にて目標回転数に到達する制御の過程を、表示手段によって表すものである。
【００１６】
【発明の実施の形態】
実施の形態１．
この発明の実施の形態１を、図１ないし図４について説明する。
図１において、運転切換により決定される「強」および「弱」の送風ファン回転数は、中間設定値を経て、複数段階にて目標回転数に到達させる制御としたものである。
図２は、送風ファン回転数及び風量の変化を示す説明図である。
図３は、この発明の実施の形態による、操作表示部の説明図である。
図４は、この発明の実施の形態による、制御回路の説明図である。
そして、この発明の実施の形態においても、除湿機の基本構成は、図５に示す構成を備えているものである。
【００１７】
図において、５は送風ファン、１７は運転スイッチ、１８は運転切換スイッチ、２１は制御回路、２２は操作表示部、２３は強ランプ、２４は弱ランプ、２６はマイコンである。
操作表示部２２には、図３に示すように運転スイッチ１７と運転切換スイッチ１８が設けられている。
【００１８】
次に、動作の説明を行う。
操作部２２の、運転切換スイッチ１８にて、「強」・「弱」を設定することで、マイコン２６からなる制御手段により送風ファンの回転数制御を行う。
【００１９】
このとき、図２に示されるように、マイコン２６からなる制御手段で実行される制御による「強」から「弱」への回転数の変化および「弱」から「強」への回転数の変化は、例えば図１に示す位相制御により、中間設定値を経て多段階にて目標回転数へ到達する。このとき、風量も段階的に設定値へ到達する。
【００２０】
また、マイコン２６からなる制御手段で実行される制御によって、中間設定値に到達した時は、回転数を保持し、所定時間経過後、目標回転数へ到達する。
【００２１】
図１に示すフローチャートを説明する。
ステップＳ１で現在の送風ファン５の回転数の設定が「強」であるか「弱」であるかを判別し、「強」であれば、ステップＳ２に移る。
【００２２】
ステップＳ２では運転切換スイッチ１８が「弱」に設定されているがどうかを判別し「弱」であれば、ステップＳ３で送風ファン５の回転数を１ステップ減少する。
【００２３】
ステップＳ４で送風ファン５の回転数が中間設定値に到達したかどうかを判別し、到達していれば、ステップＳ５においてその状態で所定時間保持する。ステップＳ４で送風ファン５の回転数が中間設定値に到達していなければ、ステップＳ３に戻り送風ファン５の回転数を再度１ステップ減少する。
【００２４】
ステップＳ５で前記中間設定値を所定時間保持した後、ステップＳ６に移り送風ファン５の回転数を１ステップ減少する。
ステップＳ７で送風ファン５の回転数が目標回転数「弱」に到達したかどうかを判別し、到達していれば、ステップＳ８で送風「弱」運転を続ける。到達していなければ、ステップＳ６に戻り送風ファン５の回転数を再度１ステップ減少する。
【００２５】
ステップＳ１で現在の送風ファン５の回転数の設定が「弱」であると判別されると、ステップＳ９に移る。
【００２６】
ステップＳ９では運転切換スイッチ１８が「強」に設定されているがどうかを判別し「強」であれば、ステップＳ１０で送風ファン５の回転数を１ステップ増加する。
【００２７】
ステップＳ１１で送風ファン５の回転数が中間設定値に到達したかどうかを判別し、到達していれば、ステップＳ１２においてその状態で所定時間保持する。ステップＳ１１で送風ファン５の回転数が中間設定値に到達していなければ、ステップＳ１０に戻り送風ファン５の回転数を再度１ステップ増加する。
【００２８】
ステップＳ１２で前記中間設定値を所定時間保持した後、ステップＳ１３に移り送風ファン５の回転数を１ステップ増加する。
ステップＳ１４で送風ファン５の回転数が目標回転数「強」に到達したかどうかを判別し、到達していれば、ステップＳ１５で送風「強」運転を続ける。到達していなければ、ステップＳ１３に戻り送風ファン５の回転数を再度１ステップ増加する。
【００２９】
以上のように、この発明の実施の形態１によれば、運転切換により送風ファン回転数を変えるものにおいて、急激な回転数の変化をおさえ、風量を除々に設定値へ到達させることができ、風量の影響による冷媒の状態変化を抑えることで、冷媒音発生防止の効果がある。
【００３０】
実施の形態２．
この発明の実施の形態２を、図３について説明する。
図３において、１７は運転スイッチ、１８は運転切換スイッチ、２２は操作表示部、２３は強ランプ、２４は弱ランプである。
操作表示部２２には、図３に示すように運転スイッチ１７と運転切換スイッチ１８および強ランプ２３と弱ランプ２４が設けられている。
【００３１】
次に、動作の説明を行う。
運転切換スイッチ１８を押すことにより、制御回路２１にて送風ファン５の回転数が決定され、強であれば「強ランプ」２３が点灯し、送風強運転が行われ、弱であれば、「弱ランプ」２４が点灯し、送風弱運転が行われる。
そして、強回転数から弱回転数に切換わる場合または弱回転数から強回転数に切換わるときは、ファン回転数が中間設定値に到達した時、それぞれのランプ２３，２４が所定時間点滅する。その後、再びそれぞれのランプ２３，２４は連続点灯する。
【００３２】
実施の形態２によれば、運転切換によりファン回転数が複数段階によって制御される過程が、強ランプ２３および弱ランプ２４からなる表示器によって確認することができる。
【００３３】
【発明の効果】
第１の発明によれば、運転切換により送風ファン回転数を変えるものにおいて、中間設定値を経た複数段階による回転数制御手段を設けたことにより、風量の変動に対して、冷媒の状態変化による冷媒音発生を防止した除湿機が得られる効果がある。
【００３４】
第２の発明によれば、複数段階にて目標回転数に到達する制御の過程が、表示器によって確認できる除湿機が得られる。
【図面の簡単な説明】
【図１】  この発明の実施の形態による、送風ファン回転数制御のフローチャートを示す図である。
【図２】  この発明の実施の形態による、送風ファン回転数および風量の変化を示す説明図である。
【図３】  この発明の実施の形態による、操作表示部の説明図である。
【図４】  この発明の実施の形態による、制御回路の説明図である。
【図５】  除湿機の基本構成を示す、断面側面図である。
【図６】  従来の除湿機の送風ファン回転数制御のフローチャートを示す図である。
【図７】  従来の除湿機の回転数と風量の変化を示す説明図である。
【符号の説明】
１  蒸発器、３  凝縮器、４  毛細管、５  送風ファン、１２  コンプレッサー、１７  運転スイッチ、１８  運転切換スイッチ、２１  制御回路、２３，２４  強および弱ランプ、２６  制御用マイコン。
【図１】
0003802220.tif 000002
【図２】
0003802220.tif 000003
【図３】
0003802220.tif 000004
【図４】
0003802220.tif 000005
【図５】
0003802220.tif 000006
【図６】
0003802220.tif 000007
【図７】
0003802220.tif 000008